(57)【要約】【課題】少なくとも仕切り蓋部材で仕切られた下段側収納部に収納された装置、或いは付属品等の取り出しをスムーズに行える内視鏡収納ケースを提供すること。【解決手段】内視鏡収納ケース１は、操作部２４から挿入部２０が延出するスコープ部２、スコープ部２にユニバーサルケーブル２９を介して接続される装置本体３、及び付属品を収納する複数の収納部１１−１９を有するケース本体１ｂと、ケース本体１ｂに開閉自在に設けられた上蓋１ａとを備える。複数の収納部１１−１９のうち少なくとも１つは、下段側収納部１２Ｄと上段側収納部１２Ｕとに区分けする仕切り部材と、下段側収納部１２Ｄの開口を閉塞する蓋部材とを兼ねる開閉自在な仕切り蓋部材５０を用いて構成され、仕切り蓋部材５０の一端面５１ｂ、及び一端面５１ｂが当接する水平面４３ｃに仕切り蓋部材５０の開状態の保持と、保持状態の解除とを繰り返し可能にする面ファスナー７１を設けている。【選択図】図５
2011100075.tif 000002
【特許請求の範囲】
【請求項１】
操作部から挿入部が延出する内視鏡、該内視鏡にユニバーサルケーブルを介して接続される装置本体、及び前記内視鏡の付属品を収納する複数の収納部を有するケース本体と、該ケース本体に開閉自在に設けられた蓋体とを備える内視鏡収納ケースにおいて、
前記複数の収納部のうち少なくとも１つの収納部を、下段側収納部と上段側収納部とに区分けする仕切り部材と、前記下段側収納部の開口を閉塞する蓋部材とを兼ねる開閉自在な仕切り蓋部材を用いて構成され、該仕切り蓋部材の一面、及び該一面が当接する前記収納空間の一面に前記仕切り蓋部材の開状態の保持と、該保持状態の解除とを繰り返し可能にする保持解除部材を設けたことを特徴とする内視鏡収納ケース。
【請求項２】
前記保持解除部材は、面接合体であることを特徴とする請求項１に記載の内視鏡収納ケース。
【請求項３】
前記仕切り蓋部材は、
緩衝部材で構成され上段側収納部を有する蓋体本体と、
前記蓋体本体に一体に設けられ、該蓋体本体を支持する剛性を有する板部材と、
一体な前記板部材と前記蓋体本体とを回動自在に固定する固定用シートとを備え、
前記保持解除部材を、前記仕切り蓋部材の前記蓋体本体の固定用シートの固定側の一端面に設けたことを特徴とする請求項１に記載の内視鏡収納ケース。
【請求項４】
前記仕切り蓋部材は、
剛性を有する板部材であって、前記上段側収納部の底面を構成する蓋体本体と、
前記蓋体本体に一体的に固設され緩衝部材であって、前記上段側収納部の一側部を構成する緩衝部と、
一体な前記緩衝部と前記蓋体本体とを回動自在に固定する固定用シートとを備え、
前記保持解除部材を、前記仕切り蓋部材の上面側の一面に設けたことを特徴とする請求項１に記載の内視鏡収納ケース。
【請求項５】
前記一端面は、前記蓋体本体に形成された収納部の開口を有する表面に対して、直交する面であることを特徴とする請求項３に記載の内視鏡収納ケース。
【請求項６】
前記一端面は、前記蓋体本体に形成された収納部の開口を有する表面に対して、傾斜した傾斜面であることを特徴とする請求項３に記載の内視鏡収納ケース。
【請求項７】
前記仕切り蓋部材は、開状態において、該仕切り蓋部材が所定の角度に傾斜して保持されるように、前記一端面の前記表面に対する角度、及び前記一端面が当接する面の角度を設定したことを特徴とする請求項３−６の何れか１項に記載の内視鏡収納ケース。
【発明の詳細な説明】
【技術分野】
【０００１】
本発明は、内視鏡、及び内視鏡に接続された内視鏡装置本体等を収納する内視鏡収納ケースに関する。
【背景技術】
【０００２】
内視鏡は、医療用分野及び工業用分野において広く利用されている。医療用分野において使用される内視鏡は、細長な挿入部を体腔内に挿入することによって、体腔内の観察すること、或いは、挿入部に設けられた処置具チャンネルを介して処置具を体腔内に導入することによって各種処置等を行える。
【０００３】
一方、工業用分野において使用される内視鏡は、細長な挿入部をジェットエンジン内、工場の配管等に挿入することによって、被検部位の傷の有無、或いは腐蝕の有無等の検査、或いは各種修理等を行える。
【０００４】
例えば、特許文献１には内視鏡と、装置本体と、収納ケースとを備える内視鏡システムが示されている。この内視鏡システムにおいて、内視鏡及び装置本体は、収納ケースに収納される。したがって、ユーザーは、内視鏡及び装置本体を収納ケースに収納した状態で観察場所近くまで持ち込むことができる。そして、ユーザーは、収納ケースの上蓋を開状態にして、例えば、操作部、挿入部が巻回されている挿入部巻回部材、装置本体の順に取り出し、その後、ベルトを例えば肩に掛けることにより、装置本体、内視鏡及び挿入部巻回部材を肩から提げた状態で持ち運べる。
【先行技術文献】
【特許文献】
【０００５】
【特許文献１】特開２００９−２０４８５４号公報
【発明の概要】
【発明が解決しようとする課題】
【０００６】
しかしながら、特許文献１に記載された内視鏡システムにおいて、ユーザーは、上蓋を開状態にした後、装置本体を装置本体収容凹部から取り出す。その際、ユーザーは、先ず、挿入部巻回部材を収容する緩衝部材を兼用するドラム収容バックを、上蓋の保護部材側に移動させ、その後、この収納ポケットを上蓋に預けた状態にして装置本体を装置本体収容凹部から取り出している。このため、装置本体を取り出し中に、上蓋側に預けられているドラム収容バックが装置本体収納凹部側に倒れてしまった場合、倒れたドラム収容バッグによって装置本体のスムーズな取り出しが妨げられる。
【０００７】
本発明は上記事情に鑑みてなされたものであり、収納部収納された装置、或いは付属品、及び仕切り蓋部材で仕切られた下段側収納部に収納された装置、或いは付属品等の取り出しをスムーズに行える内視鏡収納ケースを提供することを目的にしている。
【課題を解決するための手段】
【０００８】
本発明の内視鏡収納ケースは、操作部から挿入部が延出する内視鏡、該内視鏡にユニバーサルケーブルを介して接続される装置本体、及び前記内視鏡の付属品を収納する複数の収納部を有するケース本体と、該ケース本体に開閉自在に設けられた蓋体とを備える内視鏡収納ケースであって、
前記複数の収納部のうち少なくとも１つの収納部を、下段側収納部と上段側収納部とに区分けする仕切り部材と、前記下段側収納部の開口を閉塞する蓋部材とを兼ねる開閉自在な仕切り蓋部材を用いて構成され、該仕切り蓋部材の一面、及び該一面が当接する前記収納空間の一面に前記仕切り蓋部材の開状態の保持と、該保持状態の解除とを繰り返し可能にする保持解除部材を設けている。
【０００９】
この構成によれば、収納部に開閉自在な仕切り蓋部材を設けることによって、収納部の少なくとも１つが仕切り蓋部材を有して構成される。そして、仕切り蓋部材の一面、及び該一面が当接する収納空間に保持解除部材を設けたことによって、開閉自在な仕切り蓋部材を保持解除部材によって開状態を保持して、下段側収納部に収納されている装置、或いは付属品の取り出しを良好に行える。
【発明の効果】
【００１０】
本発明によれば、収納部収納された装置、或いは付属品、及び仕切り蓋部材で仕切られた下段側収納部に収納された装置、或いは付属品等の取り出しをスムーズに行える内視鏡収納ケースを実現できる。
【図面の簡単な説明】
【００１１】
【図１】内視鏡システムを説明する図
【図２】ユーザーが収納ケースを運搬している状態を示す図
【図３】収納ケースの上蓋を開いた状態におけるケース本体を説明する図
【図４】ケース本体から挿入部巻回ケース、操作部及び充電器を取り外した状態を示す図
【図５】図４のＹ５−Ｙ５線断面図であって、第１仕切り蓋部材の構成及び作用を説明する図
【図６】第１仕切り蓋部材を開状態にしたケース本体を説明する図
【図７】図４のＹ７−Ｙ７線断面図であって、第２仕切り蓋部材の構成及び作用を説明する図
【図８】第２仕切り蓋部材を開状態にしたケース本体を説明する図
【図９】第１仕切り蓋部材の他の構成例を説明する図
【図１０】第１仕切り蓋部材の別の構成例を説明する図
【発明を実施するための形態】
【００１２】
以下、図面を参照して本発明の実施の形態を説明する。  
図１に示すように本実施形態の内視鏡システム１０は、内視鏡収納ケース（以下、収納ケースと略記する）１と、スコープ部２と、内視鏡装置本体（以下、装置本体と略記する）３とを備えて構成されている。装置本体３とスコープ部２とは、ユニバーサルケーブル２９によって接続される。
【００１３】
収納ケース１は、蓋体である上蓋１ａとケース本体１ｂとを備えている。上蓋１ａは、ケース本体１ｂに対して開閉自在に設けられている。収納ケース１には開閉機構である複数のラッチ１ｃが設けられている。符号１ｄは、取手である。
【００１４】
スコープ部２は、例えば挿入部２０の先端部２１内に撮像素子（不図示）を設けた工業用内視鏡である。先端部２１には光学部材、発光素子等を内蔵した複数種類の光学アダプター９が用意されており、必要に応じて先端部２１に着脱自在に取り付けられるように構成されている。
【００１５】
光学アダプターとしては、例えば直視観察用、或いは側視観察用、或いは立体観察用などが用意されている。これら光学アダプター９は、光学アダプター用ケースに納められ、その光学アダプター用ケースは後述する収納凹部（図６の符号１７）に収納されるようになっている。
【００１６】
装置本体３は、画像処理部（不図示）、表示装置であるモニター３１、電力を供給するバッテリー（不図示）を備えて構成されている。画像処理部は、外装筐体３２内に設けられ、撮像素子の駆動及びこの撮像素子から出力される画像信号から映像信号を生成する等の処理を行う。
【００１７】
モニター３１は、装置本体３を構成する外装筐体３２にヒンジ（不図示）等を介して回動自在に保持されている。本実施形態において、モニター３１は、外装筐体３２に回動自在であって、収納状態においては画像表示面３１ａを有するモニター面３１ｂの裏面が、外装筐体３２の図中、背面側に配置される構成になっている。バッテリーは、撮像素子、発光素子、モニター３１等に電力を供給する。
【００１８】
符号３３はカバーであり、内視鏡装置が未使用の際、画像表示面３１ａを覆って保護する。符号３４は脚部であり、例えばＮＢＲ等のゴムにより形成され、外装筐体３２の角部に取り付けられている。
【００１９】
スコープ部２は、細長で可撓性を有する挿入部２０と、この挿入部２０の基端部に連設する操作部２４と、この操作部２４から延出する可撓性を有するユニバーサルケーブル２９とを備えて構成されている。
【００２０】
挿入部２０は、先端側から順に、先端部２１、例えば上下左右方向に湾曲自在な湾曲部２２、および可撓性を有する可撓管部２３を連設して構成されている。
【００２１】
ユニバーサルケーブル２９内には、発光素子へ電力を供給する電気ケーブル（不図示）、撮像素子へ駆動制御信号を伝送する信号線及び撮像素子で光電変換された画像信号を伝送する信号線を備えた信号ケーブル（不図示）等が内挿されている。
【００２２】
操作部２４は、操作部本体２５と、操作ワイヤ配設部２６と、把持部２７と、側部構成部２８Ｌ、２８Ｒとを備えて構成されている。操作部本体２５の天面（上面ともいう）２５ｕには、湾曲部２２を湾曲動作させる操作指示機構である、湾曲操作指示レバー（以下、湾曲レバーと略記する）３５が設けられている。
【００２３】
湾曲レバー３５は、傾倒方向および傾倒角度を変化させる傾倒操作を行うことによって挿入部２０内および操作部２４内に挿通されている図示しない操作ワイヤを移動させて、湾曲部２２を所望の方向に所望の湾曲量だけ湾曲させる。湾曲部２２は、湾曲レバー３５が直立状態のとき、略直線状になるように構成されている。
【００２４】
操作部本体２５の正面部３６には、挿入部２０を保持する保持孔３７を備えた保持部材３８が設けられている。保持孔３７の内径は、挿入部２０の外径より所定寸法だけ大きく形成されている。保持部材３８は、操作部本体２５に対して別体であって、例えば、接着剤、ネジ等によって操作部本体２５に一体的に固定される。
【００２５】
この固定状態において、保持部材３８の上端側は、操作部本体２５の上面２５ｕから所定量、突出する。保持部材３８は、上面２５ｕから突出する湾曲レバー３５を保護するガード部材を兼ねている。
【００２６】
本実施形態のスコープ部２及び装置本体３は、収納ケース１に収納された状態で、図２に示すようにユーザー４によって観察場所の近くまで運搬される。
【００２７】
図３−図８を参照して収納ケース１の構成を具体的に説明する。  
図３に示すように収納ケース１の上蓋１ａを開状態にすると、ケース本体１ｂに収納された操作部２４、充電器５、挿入部巻回ケース６、装置本体３、付属品収納袋７等が露出する。符号４０は蓋用緩衝部材であり、上蓋１ａの内部に設けられている。
【００２８】
ケース本体１ｂには操作部２４、充電器５、装置本体３を収納するための収納部として収納凹部１１、１２、１３等が設けられている。第１収納凹部１１は、装置本体３の最大外形形状脚部３４に倣って凹んで形成され、第２収納凹部１２は操作部２４の外形形状に倣って凹んで形成され、第３収納凹部１３は充電器５の外形形状に倣って凹んで形成されている。
【００２９】
各収納凹部１１、１２、１３は、緩衝部材４１、４２、４３にそれぞれ彫り込んで形成されている。第２緩衝部材４２は、後述する第１仕切り蓋部材５０の第１蓋体本体５１を構成している。第３緩衝部材４３の第３収納凹部１３は、後述する第２仕切り蓋部材６０によって上段側収納部１３Ｕと下段側収納部１３Ｄとに区分されている。  
なお、各収納凹部１１、１２、１３を、複数の緩衝部材の組み合わせによって形成するようにしてもよい。
【００３０】
挿入部巻回ケース６は、扁平なボビン形状であって、図示しない周方向凹部に挿入部２０が巻回されている。挿入部巻回ケース６は、緩衝部材で形成された巻回ケース収納部材８の環状凹部８ａに嵌め込まれた状態で、第１収納凹部１１に収納されている装置本体３上に載置されている。符号８ｂは、切り欠き部であり、切り欠き部８ｂから挿入部２０が延出される。
【００３１】
付属品収納袋７は、ケース本体１ｂと、第１収納凹部１１が形成された第１緩衝部材４１と、第２収納凹部１２が形成された第２緩衝部材４２である後述する第１蓋体本体５１等とで構成される空間内に収納される。付属品収納袋７内には、本体AＣアダプター、画像出力接続ケーブル等が収納される。  
なお、符号７１は後述する面接合体である第１面ファスナーである。
【００３２】
図４に示すように操作部２４を第２収納凹部１２から取り出すことにより、この操作部２４が収納されて凹部である第２収納凹部１２が露出する。また、充電器５を第３収納凹部１３から取り出すことにより、この充電器５が収納されていた凹部であるの上段側収納部１３Ｕを構成する第２仕切り蓋部材６０が露出する。また、巻回ケース収納部材８をケース本体１ｂから取り出すことによって第１収納凹部１１に収納されている装置本体３が露出する。  
なお、符号７２は、後述する面接合体である第２面ファスナーである。
【００３３】
図５に示すように本実施形態において、第１仕切り蓋部材５０は、第１蓋体本体５１と、蓋体支持部材５２と、固定用シート５３とで構成されている。  
第１蓋体本体５１は、所定形状、例えば直方体に形成された第２緩衝部材４２で構成され、該本体５１にはその表面側に開口を有する第２収納凹部１２が形作られている。蓋体支持部材５２は、板部材であって、操作部２４が収納された状態の第１蓋体本体５１を支持する剛性を有する。蓋体支持部材５２の一面側は、第１蓋体本体５１の裏面に例えば接着によって一体的に固定されている。蓋体支持部材５２の他面側には固定用シート５３が一体的に固定される。
【００３４】
固定用シート５３は、粘着テープ等であって、例えば布製で一面側に接着部を備える。該シート５３の一端側部は、蓋体支持部材５２の端面から所定量はみ出されて固定しろ５３ａとして構成されている。固定しろ５３ａは、第１蓋体本体５１の一端面５１ｂが対向する例えば第３緩衝部材４３の一側面４３ａに接着固定される。
【００３５】
このように構成された第１仕切り蓋部材５０によれば、第１蓋体本体５１及び蓋体支持部材５２は、一体で引き上げられ、矢印Ｙ５１に示すように移動されて破線に示すような開状態になる。また、第１蓋体本体５１及び蓋体支持部材５２は、矢印Ｙ５１と逆方向に移動されて、再び閉状態になる。つまり、第１蓋体本体５１及び蓋体支持部材５２は、固定用シート５３によって、第３緩衝部材４３の一側面４３ａに回動自在に固定される。
【００３６】
なお、図４の符号５１ａは指掛け孔であり、指掛け孔５１ａにはユーザーの人指し指等が挿入して配置されるようになっている。ユーザーが、例えば人指し指を指掛け孔５１ａに配置することによって、第１仕切り蓋部材５０を引き上げることが可能になる。
【００３７】
本実施形態の第１蓋体本体５１の一端面５１ｂ、及び第３緩衝部材４３の一面側段部４３ｂの水平面４３ｃには、それぞれ第１面ファスナー７１が設けられている。第１面ファスナー７１は、保持解除部材である、いわゆるマジックテープ（登録商標）である。
【００３８】
第１蓋体本体５１及び一面側段部４３ｂの当接面である所定位置に第１面ファスナー７１を設けたことによって、第１仕切り蓋部材５０を一面側段部４３ｂの水平面４３ｃ上に例えば直立させた状態で保持すること、及びその保持状態を解除することを繰り返し行うことができるようになっている。言い換えれば、第１仕切り蓋部材５０を開状態にしたとき、一端面５１ｂの第１面ファスナー７１と水平面４３ｃの第１面ファスナー７１とが固定状態になることよって、第１仕切り蓋部材５０が水平面４３ｃに対して直立状態で保持される。
【００３９】
第１仕切り蓋部材５０を開状態にすると、図６に示すように第１仕切り蓋部材５０の下面側に設けられていた付属品を収容するための下段側収納部１２Ｄである第４収納凹部１４、第５収納凹部１５、第６収納凹部１６、第７収納凹部１７、第８収納凹部１８、第９収納凹部１９が露出される。これら収納凹部１４−１９は、それぞれ表面側に所定形状の開口を有するように第４緩衝部材４４に形作られている。なお、第１仕切り蓋部材５０は、第４緩衝部材４４の表面に対して略直立して配置されている。
【００４０】
第１仕切り蓋部材５０の第２収納凹部１２は、前記下段側収納部１２Ｄに対して上段側収納部１２Ｕであり、該第１仕切り蓋部材５０は上段側収納部と下段側収納部とを区分する仕切り部材と、これら収納凹部１４−１９の開口を閉塞する蓋部材とを兼用している。
【００４１】
なお、第１仕切り蓋部材５０の下面側に設けられる収納凹部の数、及び形状は、図６に示す数及び形状に限定されるものではなく、ユーザーが使用する内視鏡の仕様に合わせて適宜、変更可能である。
【００４２】
また、第４収納凹部１４及び第５収納凹部１５にはバッテリーが収納され、第６収納凹部１６には補助モニタークランプ部材が収納され、第７収納凹部１７には光学アダプター用ケースが収納され、第８収納凹部１８にはクリーニングキットが収納され、第９収納凹部１９には例えば計測治具が収納される。
【００４３】
一方、第２仕切り蓋部材６０は、図７に示すように第２蓋体本体６１と、第１緩衝部６２と、固定用シート６３と、第２緩衝部６４とで構成されている。  
固定用シート６３は、前記固定用シート５３と同様な作用を構成する粘着テープ等であって、該シート５３とは形状が異なっている。固定用シート６３も、該シート６３の一端側部に固定しろ６３ａを有している。固定しろ６３ａは、第３収納凹部１３の上段側収納部１３Ｕを構成する第１緩衝部６２に対向する第３緩衝部材４３の立ち上がり面である第１内側面４３ｄ１の当接面である所定位置に接着固定される。
【００４４】
第２蓋体本体６１は、前記蓋体支持部材５２と略同様、若しくは、それより高強度な板部材であって、前記充電器５が載置可能な剛性を有し上段側収納部１３Ｕの底面を構成する。第２蓋体本体６１は、第３緩衝部材４３に形成されている第３収納凹部１３を充電器５が収納される上段側収納部１３Ｕと、例えば図８に示す補助モニター３１Ａ１収納される下段側収納部１３Ｄとに区分する。
【００４５】
即ち、第２蓋体本体６１は、第３緩衝部材４３に形作られている第３収納凹部１３の深さ方向を複数の空間に区分けする仕切り部材と、下段側の空間の開口を閉塞する蓋部材とを兼用している。
【００４６】
第１緩衝部６２は、緩衝部材であって、前記上段側収納部１３Ｕの一側部を構成する。第１緩衝部６２は、第２蓋体本体６１の所定位置に例えば接着固定される。第１緩衝部６２には、第２仕切り蓋部材６０を引き上げる際に使用される指掛け孔６２ａが形成されている。
【００４７】
第２緩衝部６４は、緩衝部材であって、前記下段側収納部１３Ｄに収納された補助モニター３１Ａ１の一面に当接して該モニター３１Ａを保持する。第２緩衝部６４は、第２蓋体本体６１に固定された固定用シート６３に対して、例えば接着によって固定される。
【００４８】
このように構成された第２仕切り蓋部材６０によれば、ユーザーが、例えば人指し指を指掛け孔６２ａに配置して第２仕切り蓋部材６０を引き上げると、第２蓋体本体６１、緩衝部６２、６４が、一体で引き上げられ、矢印Ｙ７１に示すように移動されて破線に示すような開状態になる。
【００４９】
本実施形態の第２蓋体本体６１の上面である一面６１ａ、及び第３緩衝部材４３の第２内側面４３ｄ２には、それぞれ第２面ファスナー７２が設けられている。第２面ファスナー７２は、保持解除部材である。
【００５０】
第２蓋体本体６１の一面６１ａ及び第３緩衝部材４３の第２内側面４３ｄ２の所定位置に第２面ファスナー７２を設けたことによって、第２仕切り蓋部材６０を第３緩衝部材４３の第２内側面４３ｄ２に略平行な状態で保持すること、及びその保持状態を解除することを繰り返し行うことができるようになっている。言い換えれば、第２仕切り蓋部材６０を開状態にしたとき、一面６１ａの第２面ファスナー７２と第２内側面４３ｄ２の第２面ファスナー７２とが固定状態になることよって、図８に示すように第２仕切り蓋部材６０が略直立した状態で保持される。  
符号４３ｅ、４３ｆは、載置面であって、第２蓋体本体６１の他面が載置される。
【００５１】
このように、第１面ファスナー７１及び第２面ファスナー７２を設けたことによって、仕切り蓋部材５０、６０を開状態にしたとき、面ファスナー７１、７２によってその開状態を保持することかできる。このことによって、仕切り蓋部材５０、６０によって塞がれていた下段側収納部１２Ｄ、１３Ｄに収納されている装置、或いは付属品等の取り出しを該蓋部材５０、６０によって妨げられることなくスムーズに行える。  
また、内視鏡収納ケース１が地面等に傾いた状態で置かれた場合でも、仕切り蓋部材５０、６０を開状態にしたとき、面ファスナー７１、７２によってその開状態を安定した状態で保持することかできる。
【００５２】
なお、上述した実施形態においては、第１仕切り蓋部材５０の第１蓋体本体５１を直方体形状としている。しかし、第１蓋体本体５１は、直方体形状に限定されるものではなく、第１蓋体本体５１を図９、図１０に示すように構成するようにしてもよい。
【００５３】
図９に示す第１仕切り蓋部材５０Ａ１において、第１蓋体本体５１の一端面５１ｂは、上段側収納部１２Ｕの開口を有する表面に対して傾斜する傾斜面５１ｂ１として形成され、その傾斜面５１ｂ１に第１面ファスナー７１を設けている。また、傾斜面５１ｂ１が当接配置される第３緩衝部材４３にも傾斜面４３ｇが形成され、その傾斜面４３ｇに第１面ファスナー７１を設けている。
【００５４】
そして、この構成において、第１蓋体本体５１Ａ１の傾斜面５１ｂ１及び第３緩衝部材４３の傾斜面４３ｇのそれぞれ所定位置に設けられている第１面ファスナー７１同士を固定状態にすることによって、第１仕切り蓋部材５０が第４緩衝部材４４の表面に対して直立した状態で保持され、且つその保持状態を解除することを繰り返し行うことができるようになっている。
【００５５】
つまり、本実施形態において、第１蓋体本体５１Ａ１の傾斜面５１ｂ１の角度θ１及び第３緩衝部材４３の傾斜面４３ｇの角度θ２は、第１面ファスナー７１同士を固定状態にしたとき、第１仕切り蓋部材５０が第４緩衝部材４４の表面に対して直立するように設定される。
【００５６】
このことによって、上述したように例えば第１仕切り蓋部材５０を開状態で保持させることにより、該蓋部材５０によって塞がれていた下段側収納部１２Ｄに収納されている付属品等の取り出しを、蓋部材５０によって妨げられることなくスムーズに行うことができる。
【００５７】
なお、上述の実施形態においては、仕切り蓋部材５０、６０を直立状態に保持するとしている。しかし、仕切り蓋部材５０、６０の保持状態は、直立状態に限定されるものではなく、図１０に示すように仕切り蓋部材５０、６０の一部が開閉端側延長線８０を越えて、下段側収納部１２Ｄ側に侵入しない範囲で傾いて保持されても良い。つまり、角度θ１、角度θ２を適宜設定し、仕切り蓋部材５０、６０が傾いて保持されたとき、仕切り蓋部材５０、６０の一部を開閉端側延長線８０より図中右側に位置するように仕切り蓋部材５０、６０の傾き角が設定されている。
【００５８】
このことによって、上述したように第１蓋体本体５１Ａ１の傾斜面５１ｂ１及び第３緩衝部材４３の傾斜面４３ｇの所定位置に設けられている第１面ファスナー７１同士を固定状態にしたとき、仕切り蓋部材５０、６０の一部が開閉端側延長線８０より、下段側収納部１２Ｄに侵入することによって、該下段側収納部１２Ｄに収納されている付属品等の取り出しに支障を来すことが防止されている。
【００５９】
この場合、第３収納凹部１３の位置を、より第２収納凹部１２側に近づけることができる。そのため、寸法Ｌ１、Ｌ２、Ｌ３が、Ｌ１＞Ｌ２＞Ｌ３の関係になって、より大きな収納物を収納すること、或いは、内視鏡収納ケース１の外形を小型にすることができる。
【００６０】
なお、開閉端側延長線８０とは、下段側収納部１２Ｄの固定しろ５３ａが設けられた回動中心側の端面延長線であり、仕切り蓋部材５０、６０の下面側に設けられる収納凹部の位置の変化に伴って移動する。
【００６１】
尚、本発明は、以上述べた実施形態のみに限定されるものではなく、発明の要旨を逸脱しない範囲で種々変形実施可能である。
【符号の説明】
【００６２】
１…内視鏡収納ケース    １ａ…上蓋    １ｂ…ケース本体    １ｃ…ラッチ    
２…内視鏡    ３…内視鏡装置本体    ４…ユーザー    ５…充電器    
６…挿入部巻回ケース    ７…付属品収納袋    ８…巻回ケース収納部材
８ａ…環状凹部    ８ｂ…切り欠き部    ９…光学アダプター    １０…内視鏡システム
１１…第１収納凹部    １２…第２収納凹部    １２Ｄ…下段側収納部    
１２Ｕ…上段側収納部    １３…第３収納凹部    １３Ｄ…下段側収納部    
１３Ｕ…上段側収納部    １４…第４収納凹部    １５…第５収納凹部
１６…第６収納凹部    １７…第７収納凹部    １８…第８収納凹部    
１９…第９収納凹部    ２０…挿入部    ２１…先端部    ２２…湾曲部    
２３…可撓管部    ２４…操作部    ２５…操作部本体    ２６…操作ワイヤ配設部
２７…把持部    ２９…ユニバーサルケーブル    ３１…モニター    
３１Ａ１…補助モニター    ３１ａ…画像表示面    ３１ｂ…モニター面    
３２…外装筐体    ３３…カバー    ３４…脚部    ３５…湾曲レバー    ３６…正面部
３７…保持孔    ３８…保持部材    ４０…蓋用緩衝部材    ４１…第１緩衝部材    
４２…第２緩衝部材    ４３…第３緩衝部材    ４３ａ…一側面    ４３ｂ…一面側段部
４３ｃ…水平面    ４３ｄ１、４３ｄ２…内側面    ４３ｅ、４３ｆ…載置面    
４３ｇ…傾斜面    ４４…第４緩衝部材    ５０…第１仕切り蓋部材    ５１…蓋体本体
５１ａ…指掛け孔    ５１ｂ…一端面    ５１ｂ１…傾斜面    ５２…蓋体支持部材
５３…固定用シート    ６０…第２仕切り蓋部材    ６１…蓋体本体    ６１ａ…一面
６２…第１緩衝部    ６２ａ…指掛け孔    ６３…固定用シート    ６４…第２緩衝部
７１…第１面ファスナー    ７２…第２面ファスナー    ８０…開閉端側延長線
【図１】
2011100075.tif 000003
【図２】
2011100075.tif 000004
【図３】
2011100075.tif 000005
【図４】
2011100075.tif 000006
【図５】
2011100075.tif 000007
【図６】
2011100075.tif 000008
【図７】
2011100075.tif 000009
【図８】
2011100075.tif 000010
【図９】
2011100075.tif 000011
【図１０】
2011100075.tif 000012